(57)【要約】  汎用の信号源を用いても、システム構成に応じた解像度の画像を表示することが可能な表示装置を提供する。  受信部（３）は、上位装置が出力した映像信号を受信する。表示部（５）は、映像信号に応じた画像の少なくとも一部を表示する。記憶部（２）は、表示部に表示される画像の解像度を記憶する。接続部（８）は、下位表示装置と接続可能である。通信部（７）は、接続部に下位表示装置が接続された場合、下位表示装置から通知された解像度である第２解像度を受信し、かつ、下位表示装置に映像信号を出力する。制御部（９）は、記憶部に予め記憶された、表示部に表示される画像の解像度であり、かつ、表示部の解像度である第１解像度および第２解像度に応じた第３解像度を上位装置に通知する。
2014112120.tif 000002
【特許請求の範囲】
【請求項１】
上位装置が出力した映像信号を受信する受信部と、
前記映像信号に応じた画像の少なくとも一部を表示する表示部と、
前記表示部に表示される画像の解像度を記憶する記憶部と、
下位表示装置と接続可能な接続部と、
前記接続部に下位表示装置が接続された場合、前記下位表示装置から通知された解像度である第２解像度を受信し、かつ、前記下位表示装置に前記映像信号を出力する通信部と、
前記記憶部に予め記憶された前記表示部に表示される画像の解像度であり、かつ、前記表示部の解像度である第１解像度および前記第２解像度に応じた第３解像度を前記上位装置に通知する制御部と、を備える表示装置。
【請求項２】
前記接続部に下位表示装置が接続された場合において、
前記上位装置は、他の表示装置であり、
前記制御部は、前記第１解像度および前記第２解像度が同一である場合、前記下位表示装置の数を検出し、前記第１解像度を前記第３解像度とし、当該第３解像度および前記下位表示装置の数を前記上位装置に通知する、請求項１に記載の表示装置。
【請求項３】
前記通信部は、前記下位表示装置から当該下位表示装置の解像度を前記第２の解像度として受信する、請求項２に記載の表示装置。
【請求項４】
前記接続部に下位表示装置が接続された場合において、
前記上位装置は、前記映像信号を出力する信号源であり、
前記制御部は、前記第１解像度および前記第２解像度に基づいて、前記表示部および前記下位表示装置のそれぞれが表示する画像をつなぎ合わせた合成画像の解像度を算出し、算出した解像度を前記第３解像度として前記上位装置に通知する、請求項１に記載の表示装置。
【請求項５】
前記制御部は、前記記憶部に記憶された第１解像度を前記第３解像度に書き換えることで、前記第３解像度を前記上位装置に通知する、請求項１ないし４のいずれか１項に記載の表示装置。
【請求項６】
前記受信部は、前記映像信号に応じた画像のうちの表示する領域を示す表示領域情報を前記上位装置から受信し、
前記表示部は、前記受信部が受信した表示領域情報に従って前記映像信号に応じた画像を表示し、
前記通信部は、前記表示領域情報を、前記下位表示装置が表示する領域に対応する情報に加工して前記下位表示装置に出力する、請求項１ないし５のいずれか１項に記載の表示装置。
【請求項７】
映像信号を出力する信号源と、
前記信号源が出力した映像信号に応じた画像の一部をそれぞれ表示する複数の表示装置と、
を備え、
前記複数の表示装置は縦続接続され、
各表示装置は、
上位装置が出力した映像信号を受信する受信部と、
前記映像信号に応じた画像の少なくとも一部を表示する表示部と、
前記表示部に表示される画像の解像度を記憶する記憶部と、
下位表示装置と接続可能な接続部と、
前記接続部に下位表示装置が接続された場合、前記下位表示装置から通知された解像度である第２解像度を受信し、かつ、前記下位表示装置に前記映像信号を出力する通信部と、
前記記憶部に予め記憶された前記表示部に表示される画像の解像度であり、かつ、前記表示部の解像度である第１解像度および前記第２解像度に応じた第３解像度を前記上位装置に通知する制御部と、を有する、マルチ表示システム。
【請求項８】
映像信号を出力する信号源と、前記信号源が出力した映像信号に応じた画像の一部をそれぞれ表示する複数の表示装置と、を備え、前記複数の表示装置は縦続接続されたマルチ表示システムの各表示装置が、
下位表示装置と接続されたことを検出する手順と、
表示部に表示される画像の解像度であり、かつ、前記表示部の解像度である第１解像度を記憶部から取得する手順と、
前記下位表示装置から通知された解像度である第２解像度を受信する手順と、
前記第１解像度および前記第２解像度に応じた第３解像度を上位装置に通知する手順と、
前記第３解像度に応じた映像信号を前記上位装置から受信する手順と、
受信した映像信号の一部を表示する手順と、
前記下位表示装置に前記映像信号を出力する手順と、を含むマルチ表示方法。
【発明の詳細な説明】
【技術分野】
【０００１】
本発明は、表示装置、マルチ表示システム、およびマルチ表示方法に関する。
【背景技術】
【０００２】
近年、複数の表示装置を使用して１つの画像を表示するマルチ表示システムが普及し始めている。マルチ表示システムは、映像信号を出力する信号源と、信号源が出力した映像信号に応じた画像を表示する複数の表示装置とを有し、各表示装置が表示する画像をつなぎ合わせて、１つの合成画像として形成するマルチ表示を行う。このため、マルチ表示システムでは、各表示装置が単体で表示する画像よりも大画面で高解像度な画像を形成することができる。【０００３】
マルチ表示システムでは、信号源に対して複数の表示装置を縦続接続したものがある（特許文献１参照）。この場合、信号源は、単一の映像信号を出力し、信号源が出力した映像信号を受け付けた表示装置は、映像信号に応じた画像の一部を表示するとともに、次段の表示装置へ映像信号を伝送する。また次段の表示装置は、映像信号に応じた画像の一部を表示するとともに、さらに後段の表示装置へ映像信号を伝送する。このようなマルチ表示システムでは、信号源に対して縦続接続する表示装置の台数が増えるほど、より高解像度な画像を形成することができる。【０００４】
上記のマルチ表示システムでは、信号源は、各表示装置が表示する画像をつなぎ合わせた合成画像に応じた解像度の映像信号を出力する必要がある。この合成画像の解像度は、マルチ表示システムのシステム構成、例えばマルチ表示システムに含まれる表示装置の台数および解像度などに応じて決定されるため、信号源は、システム構成に応じた解像度の映像信号を出力する必要がある。【０００５】
信号源としてマルチ表示専用の信号源を用いる場合、通常、マルチ表示専用の信号源は、出力する映像信号の解像度をユーザが設定できる機能を有しているため、容易にシステム構成に応じた解像度の映像信号を出力することができる。
【先行技術文献】
【特許文献】
【０００６】
【特許文献１】特開２００４−３４７６６７号公報
【発明の概要】
【発明が解決しようとする課題】
【０００７】
しかしながら、例えばＰＣ（Ｐｅｒｓｏｎａｌ  Ｃｏｍｐｕｔｅｒ）などの汎用の信号源は、所望の解像度の映像信号を出力することができないことがある。【０００８】
具体的には、汎用の信号源は、通常、接続された表示装置からその表示装置の特性を示すＥＤＩＤ（Ｅｘｔｅｎｄｅｄ  Ｄｉｓｐｌａｙ  Ｉｄｅｎｔｉｆｉｃａｔｉｏｎ  Ｄａｔａ）を取得し、このＥＤＩＤに記述された解像度に応じた映像信号を出力する。【０００９】
マルチ表示システムのシステム構成は場合によって異なるため、ＥＤＩＤには、必ずしも現在のシステム構成に応じた解像度が記述されているとは限らない。このため、汎用の信号源は、システム構成に応じた解像度の映像信号を出力することができないことがある。【００１０】
したがって、汎用の信号源を用いる場合には、システム構成に応じた解像度の画像を表示することができない場合があるという問題があった。【００１１】
本発明の目的は、汎用の信号源を用いた場合であっても、システム構成に応じた解像度の画像を表示することの可能な表示装置、マルチ表示システム、およびマルチ表示方法を提供することである。
【課題を解決するための手段】
【００１２】
本発明による表示装置は、
上位装置が出力した映像信号を受信する受信部と、
前記映像信号に応じた画像の少なくとも一部を表示する表示部と、
前記表示部に表示される画像の解像度を記憶する記憶部と、
下位表示装置と接続可能な接続部と、
前記接続部に下位表示装置が接続された場合、前記下位表示装置から通知された解像度である第２解像度を受信し、かつ、前記下位表示装置に前記映像信号を出力する通信部と、
前記記憶部に予め記憶された前記表示部に表示される画像の解像度であり、かつ、前記表示部の解像度である第１解像度および前記第２解像度に応じた第３解像度を前記上位装置に通知する制御部と、を有する。【００１３】
本発明によるマルチ表示システムは、
映像信号を出力する信号源と、
前記信号源が出力した映像信号に応じた画像の一部をそれぞれ表示する複数の表示装置と、
を備え、
前記複数の表示装置は縦続接続され、
各表示装置は、
上位装置が出力した映像信号を受信する受信部と、
前記映像信号に応じた画像の少なくとも一部を表示する表示部と、
前記表示部に表示される画像の解像度を記憶する記憶部と、
下位表示装置と接続可能な接続部と、
前記接続部に下位表示装置が接続された場合、前記下位表示装置から通知された解像度である第２解像度を受信し、かつ、前記下位表示装置に前記映像信号を出力する通信部と、
前記記憶部に予め記憶された前記表示部に表示される画像の解像度であり、かつ、前記表示部の解像度である第１解像度および前記第２解像度に応じた第３解像度を前記上位装置に通知する制御部と、を有する。【００１４】
本発明によるマルチ表示方法は、
映像信号を出力する信号源と、前記信号源が出力した映像信号に応じた画像の一部をそれぞれ表示する複数の表示装置と、を備え、前記複数の表示装置は縦続接続されたマルチ表示システムの各表示装置が、
下位表示装置と接続されたことを検出する手順と、
表示部に表示される画像の解像度であり、かつ、前記表示部の解像度である第１解像度を記憶部から取得する手順と、
前記下位表示装置から通知された解像度である第２解像度を受信する手順と、
前記第１解像度および前記第２解像度に応じた第３解像度を上位装置に通知する手順と、
前記第３解像度に応じた映像信号を前記上位装置から受信する手順と、
受信した映像信号の一部を表示する手順と、
前記下位表示装置に前記映像信号を出力する手順と、を含む。
【発明の効果】
【００１５】
本発明によれば、汎用の信号源を用いても、システム構成に応じた解像度の映像信号を出力することが可能である。
【図面の簡単な説明】
【００１６】
【図１】本発明の第１の実施形態にかかるマルチ表示システムの構成を示す図である。
【図２】図１のマルチ表示システムのプロジェクタの構成を示すブロック図である。
【図３】図２のプロジェクタの出力部の詳細な構成を示すブロック図である。
【図４】図３のＤＥ加工部における、水平ＤＥ信号の加工について説明するための図である。
【図５】図３のＤＥ加工部における、垂直ＤＥ信号の加工について説明するための図である。
【図６】同実施形態にかかるマルチ表示システムの動作例について説明するためのシーケンス図である。
【図７】本発明の第２の実施形態にかかるマルチ表示システムの構成を示す図である。
【図８Ａ】同実施形態にかかるマルチ表示システムの動作例について説明するためのシーケンス図である。
【図８Ｂ】同実施形態にかかるマルチ表示システムの動作例について説明するためのシーケンス図である。
【図９】同実施形態にかかるＤＥ加工部における、水平ＤＥ信号の加工について説明するための図である。
【発明を実施するための形態】
【００１７】
以下、本発明の実施形態について添付の図面を参照して説明する。なお、本明細書および図面において、同一の機能を有する構成要素については同じ符号を付することにより重複説明を省略する場合がある。
【００１８】
（第１の実施形態）
図１は、本発明の第１の実施形態にかかるマルチ表示システムの構成を示す図である。
【００１９】
図１に示すマルチ表示システム１００は、２台のプロジェクタ１０と、映像信号の信号源であるＰＣ（Ｐｅｒｓｏｎａｌ  Ｃｏｍｐｕｔｅｒ）２０とを有する。２台のプロジェクタ１０のうち、ＰＣ２０と直接接続され、プロジェクタ１０が投写する画像に向かって左側に配置されたプロジェクタ１０をマスタプロジェクタ１０Ｍと称する。またマスタプロジェクタ１０Ｍと接続され、プロジェクタ１０が投写する画像に向かって右側に配置されたプロジェクタ１０をスレーブプロジェクタ１０Ｓと称する。
【００２０】
マスタプロジェクタ１０Ｍの入力端子１は、ＰＣ２０と接続され、マスタプロジェクタ１０Ｍの出力端子８は、スレーブプロジェクタ１０Ｓの入力端子１と接続されている。
【００２１】
マスタプロジェクタ１０Ｍは、ＰＣ２０が出力した映像信号に応じた画像のうち左半分を表示するとともに、映像信号をスレーブプロジェクタ１０Ｓに出力する。スレーブプロジェクタ１０Ｓは、ＰＣ２０（マスタプロジェクタ１０Ｍ）が出力した映像信号に応じた画像のうち右半分を表示する。
【００２２】
このときマスタプロジェクタ１０Ｍおよびスレーブプロジェクタ１０Ｓは、それぞれ１０２４×７６８の解像度の画像を表示するものとする。この場合、マルチ表示システム全体としては、２０４８×７６８の解像度の画像が表示される。
【００２３】
図２は、マルチ表示システム１００のプロジェクタ１０の構成を示すブロック図である。
【００２４】
図２に示すプロジェクタ１０は、入力端子１と、ＥＤＩＤメモリ２と、受信部３と、映像信号処理部４と、表示部５と、駆動部６と、出力部７と、出力端子８と、制御部９とを有する。
【００２５】
入力端子１は、ケーブルを介して上位装置と接続され、上位装置が出力した映像信号および制御信号を受け付ける。なお本実施形態では、プロジェクタ１０がマスタプロジェクタ１０Ｍである場合、入力端子１に接続される上位装置はＰＣ２０であり、プロジェクタ１０がスレーブプロジェクタ１０Ｓである場合、上位装置はマスタプロジェクタ１０Ｍとなる。なお上位装置がこの入力端子１を介してＥＤＩＤの取得処理を行う場合、ＥＤＩＤは入力端子１を介して上位装置に通知される。
【００２６】
入力端子１は、例えばＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）、ＤＶＩ（Ｄｉｇｉｔａｌ  Ｖｉｓｕａｌ  Ｉｎｔｅｒｆａｃｅ）、またはＤＰ（Ｄｉｓｐｌａｙ  Ｐｏｒｔ）などの規格に対応する。これらの規格では、映像信号・音声信号・および制御信号が１本のケーブルで伝送される。以下、本実施形態では入力端子１は、ＨＤＭＩ規格に対応した端子であるものとする。入力端子１は、受け付けた映像信号および制御信号を受信部３に出力する。
【００２７】
ＥＤＩＤメモリ２は、表示部５の性能および機能などを示すＥＤＩＤを記憶する記憶部である。表示部５の性能および機能に応じて、表示部５が対応する映像信号の特性は異なるため、ＥＤＩＤは、表示部５が対応する映像信号の特性を示すこととなる。ＥＤＩＤは、表示部５が対応する映像信号の解像度を含む。信号源は、ＥＤＩＤを取得することで、信号源が出力する映像や音声のフォーマットを自動的に設定することができる。なおＥＤＩＤに含まれる解像度は、通常、表示部５が単体で映像信号に応じた画像を表示する場合に対応する映像信号の解像度である。このように各プロジェクタ１０が単体で映像信号に応じた画像を表示する場合の解像度を、複数のプロジェクタ１０がそれぞれ表示する画像をつなぎあわせた合成画像の解像度と区別して、以下、個別解像度と称する。本実施形態では、ＥＤＩＤメモリ２に記憶されたＥＤＩＤ中の解像度を所定の解像度に書き換えることで、信号源が出力する映像の解像度を変更する。
【００２８】
受信部３は、入力端子１の規格に対応したレシーバであり、本実施形態ではＨＤＭＩレシーバである。受信部３は、入力端子１が出力した映像信号および制御信号を受信し、受信した信号に対して各種の信号処理を行う。ここで受信部３が行う信号処理は、映像信号のシリアル−パラレル変換、信号レベル変換、および、制御信号に含まれる各種タイミング信号のデコードなどである。なおタイミング信号は、例えば水平方向の映像信号の区切りを示す水平同期信号、垂直方向の映像信号の区切りを示す垂直同期信号、映像信号のうち表示する期間である有効期間と表示しない期間である非有効期間とを示す表示領域情報であるＤＥ（Ｄａｔａ  Ｅｎａｂｌｅ）信号、１ドットを表示するために必要な時間の逆数を示すドットクロックなどである。受信部３は、変換後の映像信号およびデコード後の各種タイミング信号を含む制御信号を映像信号処理部４および出力部７に出力する。
【００２９】
映像信号処理部４は、受信部３が出力した映像信号および制御信号を受け付け、受け付けた映像信号に対する映像信号処理を行う。映像信号処理部４が行う映像信号処理は、例えばγ補正処理、および歪み補正処理などである。映像信号処理部４は、映像信号処理を行った映像信号、および制御信号を駆動部６に出力する。
【００３０】
表示部５は、入力された入力映像信号に応じた画像を表示する。表示部５は、例えば光を出射する光源と、光源からの光を入力映像信号に応じて変調した画像光を出力する表示素子と、表示素子が出力した画像光を投写する投写光学系とを有する。表示部５は、駆動部６により駆動され、光源が出射した光を投写することで、映像信号に応じた画像を表示する。
【００３１】
駆動部６は、表示部５を駆動する。駆動部６は、例えば表示部５の表示素子および光源などを駆動することで、表示部５に画像光を出射させる。なおこのとき駆動部６は、受け付けた制御信号に含まれるＤＥ信号に従い、表示素子に映像信号を入力することで、表示部５に有効期間の映像信号に応じた画像の少なくとも一部を表示させる。例えば駆動部６は、入力された映像信号に応じた画像の水平解像度が表示部５の解像度より大きい場合、映像信号に応じた画像の先頭から表示部５の水平解像度分の画像を表示部５に表示させる。
【００３２】
出力部７は、受信部２が出力した映像信号および制御信号に対して各種の信号処理を行い、信号処理を行った映像信号および制御信号を出力する。
【００３３】
出力端子８は、ＨＤＭＩケーブルを介して下位表示装置である他のプロジェクタ１０と接続可能な接続部である。出力端子８は、本実施形態ではＨＤＭＩ規格に対応した端子である。
【００３４】
制御部９は、例えばＣＰＵ（Ｃｅｎｔｒａｌ  Ｐｒｏｃｅｓｓｉｎｇ  Ｕｎｉｔ）などの制御装置であり、受信部３、映像信号処理部４、駆動部６、および出力部７などを制御する。
【００３５】
制御部９は、出力端子８に接続された他のプロジェクタ１０がある場合、他のプロジェクタ１０をスレーブプロジェクタ１０Ｓとし、出力部７および出力端子８を介してスレーブプロジェクタ１０ＳのＥＤＩＤを取得し、取得したＥＤＩＤに記述された解像度を第２解像度とする。
【００３６】
制御部９は、ＥＤＩＤメモリ２に記憶されたＥＤＩＤに記述された解像度である第１解像度および下位装置から通知された解像度である第２解像度に応じた第３解像度を上位装置に通知する。このとき制御部９は、第１解像度および第２解像度が同一である場合に第３解像度を上位装置に通知する。
【００３７】
詳細には、制御部９は、第１解像度、および第２解像度に基づいて、表示部５およびスレーブプロジェクタ１０Ｓのそれぞれが表示する画像をつなぎ合わせた合成画像の解像度を算出して、上位装置に通知する第３解像度とする。制御部９は、ＥＤＩＤメモリ２に記憶されたＥＤＩＤ中の解像度を第３解像度に書き換えることで、第３解像度を上位装置であるＰＣ２０に通知する。
【００３８】
なお、制御部９は、例えば、プロジェクタ１０の電源をオフすることを示す信号を検出したとき、または、マルチ表示システム１００の解除を示す信号を検出したときなど、書き換えられたＥＤＩＤメモリ２に記憶されたＥＤＩＤを、初期のＥＤＩＤに書き換えるようにしてもよい。例えば、制御部９は、プロジェクタ１０の電源をオフすることを示す信号を検出したとき、書き換えられたＥＤＩＤメモリ２に記憶された第３解像度を第１解像度に書き換えるようにしてもよい。
【００３９】
図３は、プロジェクタ１０の出力部７の詳細な構成を示すブロック図である。
【００４０】
出力部７は、出力端子８に下位表示装置が接続された場合、下位表示装置から通知された解像度である第２解像度を受けつけ、かつ、下位表示装置に映像信号を出力する通信部である。出力部７は、下記のフォーマット変換部１１と、ＤＥ加工部１２と、送信部１３とを有する。
【００４１】
フォーマット変換部１１は、受信部３が出力した映像信号を受け付け、映像信号のフォーマットを、選択された規格に応じたフォーマットに変換する。フォーマット変換部１１は、フォーマットを変換した映像信号を送信部１３に出力する。
【００４２】
ＤＥ加工部１２は、受信部３が出力した制御信号を受け付け、受け付けた制御信号に含まれるＤＥ信号を、当該プロジェクタ１０の出力端子８と接続された下位表示装置であるプロジェクタ１０Ｓが表示する区間に対応する情報に加工する。ＤＥ加工部１２は、加工したＤＥ信号を含む制御信号を送信部１３に出力する。
【００４３】
ここでＤＥ加工部１２のＤＥ信号加工処理についてより具体的に説明する。ＤＥ信号には、水平ＤＥ信号と垂直ＤＥ信号の２種類がある。水平ＤＥ信号は、水平方向の映像信号の有効期間を示し、垂直ＤＥ信号は、垂直方向の映像信号の有効期間を示す。
【００４４】
図４は、水平ＤＥ信号の加工について説明するための図である。本実施形態では、解像度が２０４８×７６８の映像信号が入力され、マスタプロジェクタ１０ＭのＤＥ加工部１２に入力される入力水平ＤＥ信号は、水平方向の映像信号２０４８ドットの全期間が有効期間であることを示す。ＤＥ加工部１２は、映像信号に応じた画像のうちマスタプロジェクタ１０Ｍが表示する部分である、画像の左側１０２４ドットに相当する期間が非有効期間となるように（映像信号に応じた画像のうちスレーブプロジェクタ１０Ｓが表示する部分である、画像の右側１０２４ドットに相当する期間が有効期間となるように）入力水平ＤＥ信号を加工する。加工後の水平ＤＥ信号が図４の下段に示される。
【００４５】
図５は、垂直ＤＥ信号の加工について説明するための図である。本実施形態では、スレーブプロジェクタ１０Ｓは、マスタプロジェクタ１０Ｍの水平方向にのみ接続され、垂直方向には接続されておらず、各プロジェクタ１０は垂直方向の映像信号の全区間を表示するため、ＤＥ加工部１２は、垂直ＤＥ信号に対しては加工を行わない。ＤＥ加工部１２に入力される入力垂直ＤＥ信号およびＤＥ加工部１２が出力する出力垂直ＤＥ信号のいずれも、７６８ラインの映像信号の全期間が有効期間であることを示す。
【００４６】
図３の説明に戻る。送信部１３は、フォーマット変換部１１が出力した映像信号と、制御信号とを出力端子８と接続された後段のプロジェクタ１０Ｓへ出力する。このとき、制御信号には、ＤＥ加工部１２が出力したＤＥ信号、水平同期信号、垂直同期信号、およびドットクロックなどが含まれる。
【００４７】
図６は、マルチ表示システム１００の動作例を説明するためのシーケンス図である。
【００４８】
マスタプロジェクタ１０Ｍの制御部９は、出力端子８に接続された接続機器の有無を確認する（ステップＳ１００）。具体的には、マスタプロジェクタ１０Ｍの制御部９は、入力端子１および出力端子８のホットプラグ機能を用いて入力端子１および出力端子８と接続された接続機器の有無を確認する。ユーザがマスタプロジェクタ１０Ｍの出力端子８とスレーブプロジェクタ１０Ｓの入力端子１とをＨＤＭＩケーブルを用いて接続すると、マスタプロジェクタ１０Ｍの制御部９は、接続機器としてスレーブプロジェクタ１０Ｓを検出する。
【００４９】
そして、マスタプロジェクタ１０Ｍの制御部９は、出力端子８に接続機器が存在し、入力端子１に接続機器が存在しないことから、マスタプロジェクタ１０Ｍがマルチ表示システム１００の最上位の表示装置であることを検出する。マスタプロジェクタ１０Ｍの制御部９は、出力端子８に接続されたスレーブプロジェクタ１０ＳのＥＤＩＤメモリ２からＥＤＩＤを取得し、取得したＥＤＩＤに記述された個別解像度を第２解像度とする（ステップＳ１０５）。
【００５０】
マスタプロジェクタ１０Ｍの制御部９は、マスタプロジェクタ１０ＭのＥＤＩＤメモリ２に記憶されたＥＤＩＤに記述された個別解像度を取得して第１解像度とし、この第１解像度とステップＳ１０５で取得した第２解像度とを比較して、マスタプロジェクタ１０Ｍとスレーブプロジェクタ１０Ｓの個別解像度が同一であるか否かを判断する（ステップＳ１１０）。マスタプロジェクタ１０Ｍの個別解像度とスレーブプロジェクタ１０Ｓの個別解像度とが同一でない場合、マスタプロジェクタ１０Ｍは、マルチ表示システムの動作を終了する。
【００５１】
一方マスタプロジェクタ１０Ｍの個別解像度とスレーブプロジェクタ１０Ｓの個別解像度とが同一である場合、マスタプロジェクタ１０Ｍの制御部９は、マスタプロジェクタ１０Ｍの表示部５とスレーブプロジェクタ１０Ｓの表示部５とがそれぞれ表示する画像をつなぎ合わせた合成画像の解像度であるシステム解像度を算出する。具体的には、マスタプロジェクタ１０Ｍの制御部９は、マルチ表示システム１００に含まれる各プロジェクタが表示する各画像の解像度と、各画像の合成画像中における配置とに基づいて、システム解像度を算出する。本実施形態では、プロジェクタ１０が表示する画像が水平方向に２つつなぎ合わされることを前提とするため、制御部９は、水平解像度がマスタプロジェクタ１０Ｍの水平解像度の２倍であって、垂直解像度がマスタプロジェクタ１０Ｍの垂直解像度と同一となるシステム解像度を算出する（ステップＳ１１５）。
【００５２】
そしてマスタプロジェクタ１０Ｍの表示部５は、システム解像度を選択することが可能な旨を表示する。具体的には、マスタプロジェクタ１０Ｍの表示部５は、例えばマスタプロジェクタ１０Ｍの個別解像度およびシステム解像度を含む、解像度の選択肢を表示する。このとき表示部５は、ＯＳＤ（Ｏｎ  Ｓｃｒｅｅｎ  Ｄｉｓｐｌａｙ）などを使用して、解像度の選択肢を表示することができる（ステップＳ１２０）。
【００５３】
ここでユーザがマスタプロジェクタ１０Ｍに対して、システム解像度を選択解像度として入力すると（ステップＳ１２５）、マスタプロジェクタ１０Ｍの制御部９は、ＥＤＩＤメモリ２に記憶されたＥＤＩＤの解像度をシステム解像度に書き換える（ステップＳ１３０）。
【００５４】
そしてユーザがＰＣ２０とマスタプロジェクタ１０ＭとをＨＤＭＩケーブルで接続すると、ＰＣ２０は、マスタプロジェクタ１０ＭからＥＤＩＤを取得する（ステップＳ１３５）。ＰＣ２０は、取得したＥＤＩＤに記述されたシステム解像度に応じた映像信号および制御信号をマスタプロジェクタ１０Ｍに出力する（ステップＳ１４０）。
【００５５】
マスタプロジェクタ１０Ｍは、映像信号および制御信号を受け付けると、制御信号に含まれるＤＥ信号を加工する。このときＤＥ加工部１２は、映像信号のうち、マスタプロジェクタ１０Ｍが表示する部分が非有効期間となるように（スレーブプロジェクタ１０Ｓが表示する部分が有効期間となるように）、ＤＥ信号を加工する（ステップＳ１４５）。
【００５６】
そしてマスタプロジェクタ１０Ｍの表示部５は、受信部３が受信したＤＥ信号に従って、映像信号に応じた画像の左半分を表示する（ステップＳ１５０）。
【００５７】
マスタプロジェクタ１０Ｍの出力端子８は、映像信号と加工後のＤＥ信号を含む制御信号とをスレーブプロジェクタ１０Ｓに出力する（ステップＳ１５５）。
【００５８】
映像信号および制御信号を受け付けたスレーブプロジェクタ１０Ｓの表示部５は、受け付けた制御信号に含まれるＤＥ信号に従って、映像信号に応じた画像の右半分を表示する（ステップＳ１７０）。
【００５９】
以上説明したように、本実施形態によれば、表示装置は、表示部５の解像度である第１解像度、および下位表示装置から通知された解像度である第２の解像度に応じた第３の解像度を上位装置に通知する。これにより、上位装置は、上位装置に接続された複数の下位表示装置の解像度を把握することが可能になるため、上位装置である信号源は、通知された第３の解像度に応じた解像度の映像信号を出力することが可能になる。したがって、ＰＣのような汎用の信号源を用いた場合であっても、信号源がシステム構成に応じた解像度の映像信号を出力することが可能になり、表示装置がシステム構成に応じた解像度の画像を表示することが可能になる。
【００６０】
また、本実施形態によれば、第１解像度および第２解像度が同一である場合に第３解像度が上位装置に通知される。矩形の画像の一部を複数の表示装置で表示し、表示した各画像をつなぎ合わせて１つの大きな画像を形成するとき、垂直解像度の異なる複数の表示装置を水平方向につなぎ合わせる場合や、水平解像度の異なる複数の表示装置を垂直方向につなぎ合わせる場合、各表示装置が表示した画像をつなぎ合わせても矩形とならず、１つの画像を形成しない。このように各表示装置が表示した画像をつなぎ合わせた場合は表示装置が正常に動作しているとは言えない。したがって、通知する解像度の変更を第１解像度と第２解像度とが同一である場合に制限することで、表示部５の正常な動作を確保することが可能になる。
【００６１】
また、本実施形態によれば、表示装置は、ＥＤＩＤメモリ２に記憶された第１解像度を第３解像度に書き換えることで、第３解像度を上位装置に通知する。これにより、上位装置側の解像度を読み込む動作に変更を加えることなく、上位装置が第３解像度に応じた映像信号を出力することが可能になる。
【００６２】
また、本実施形態によれば、表示装置は、第２の解像度である下位表示装置の解像度を、下位表示装置のＥＤＩＤから取得する。また、表示装置は、映像信号のうち表示する領域を示すＤＥ信号を、下位表示装置が表示する領域に対応する情報に加工する。これにより、下位表示装置側の動作に変更を加えることなく、下位表示装置が第３解像度に応じた画像を表示することが可能になる。
【００６３】
また、本実施形態によれば、上位装置であるＰＣ２０、および下位表示装置であるスレーブプロジェクタ１０Ｓと接続されたマスタプロジェクタ１０Ｍにおいては、第１解像度および第２解像度に基づいて、表示部５およびスレーブプロジェクタ１０Ｓのそれぞれが表示する画像をつなぎ合わせた合成画像の解像度が算出され、算出した解像度が第３解像度として上位装置であるＰＣ２０に通知される。これにより、マスタプロジェクタ１０Ｍは、信号源であるＰＣ２０に合成画像の解像度を通知することができる。
【００６４】
（第２の実施形態）
図７は、本発明の第２の実施形態にかかるマルチ表示システムの構成を示す図である。
【００６５】
本発明の第２の実施形態にかかるマルチ表示システム２００は、複数のプロジェクタ１０と、映像信号の信号源であるＰＣ２０とを有する。複数のプロジェクタ１０のうち、ＰＣ２０と直接接続されたプロジェクタ１０をマスタプロジェクタ１０Ｍと称する。またＰＣ２０と直接接続されないプロジェクタ１０をスレーブプロジェクタ１０Ｓと称する。本実施形態では、マルチ表示システム２００は、２台のスレーブプロジェクタ１０Ｓを有し、マスタプロジェクタ１０Ｍは、３台のプロジェクタ１０のうち一番左側に配置されている。また２台のスレーブプロジェクタ１０Ｓのうち、マスタプロジェクタ１０Ｍと直接接続され、プロジェクタが投写する画像に向かって左側（３台のうち中央）に配置されたスレーブプロジェクタ１０Ｓを第１スレーブプロジェクタ１０Ｓ−１と称し、第１スレーブプロジェクタ１０Ｓ−１と接続され、プロジェクタが投写する画像に向かって一番右側に配置されたスレーブプロジェクタ１０Ｓを第２スレーブプロジェクタ１０Ｓ−２と称する。
【００６６】
マスタプロジェクタ１０Ｍの入力端子１は、ＰＣ２０と接続され、マスタプロジェクタ１０Ｍの出力端子８は、第１スレーブプロジェクタ１０Ｓ−１の入力端子１と接続されている。また第１スレーブプロジェクタ１０Ｓ−１の出力端子８は、第２スレーブプロジェクタ１０Ｓ−２の入力端子１と接続されている。
【００６７】
各プロジェクタ１０は、それぞれ１０２４×７６８の解像度の画像を表示するものとする。この場合、マルチ表示システム２００全体としては、３０７２×７６８の解像度の画像が表示されることになる。
【００６８】
図８Ａおよび図８Ｂは、マルチ表示システム２００の動作例を説明するためのシーケンス図である。
【００６９】
まず図８Ａを参照する。マスタプロジェクタ１０Ｍの制御部９は、入力端子１および出力端子８のホットプラグ機能を使用して、入力端子１および出力端子８と接続された接続機器の有無を確認する（ステップＳ２００）。ユーザがマスタプロジェクタ１０Ｍと第１スレーブプロジェクタ１０Ｓ−１、および第１スレーブプロジェクタ１０Ｓ−１と第２スレーブプロジェクタ１０Ｓ−２をそれぞれＨＤＭＩケーブルで接続すると、マスタプロジェクタ１０Ｍの制御部９は出力端子８と接続された第１スレーブプロジェクタ１０Ｓ−１を接続機器として検出する。
【００７０】
マスタプロジェクタ１０Ｍの制御部９は、第１スレーブプロジェクタ１０Ｓ−１との接続を検出すると、出力端子８に接続機器が存在し、入力端子１に接続機器が存在しないことから、マスタプロジェクタ１０Ｍがマルチ表示システム２００の最上位の表示装置であることを認識する。そして制御部９は、解像度問合せメッセージを生成し、生成した解像度問合せメッセージを、出力端子８から第１スレーブプロジェクタ１０Ｓ−１に対して出力する（ステップＳ２０５）。
【００７１】
解像度問合せメッセージを受け付けた第１スレーブプロジェクタ１０Ｓ−１の受信部３は、ＥＤＩＤメモリ２から個別解像度を取り出す。また受信部３は、解像度問合せメッセージを受け付けたことを制御部９に通知する。この通知を受け付けた第１スレーブプロジェクタ１０Ｓ−１の制御部９は、第１スレーブプロジェクタ１０Ｓ−１の出力端子８と接続された接続機器の有無を、出力端子８のホットプラグ機能を使用して確認する（ステップＳ２１０）。
【００７２】
本実施形態では、第１スレーブプロジェクタ１０Ｓ−１の出力端子８は、下位表示装置である第２スレーブプロジェクタ１０Ｓ−２と接続されているため、第１スレーブプロジェクタ１０Ｓ−１の制御部９は、さらに解像度問合せメッセージを第２スレーブプロジェクタ１０Ｓ−２に対して出力する（ステップＳ２１５）。
【００７３】
解像度問合せメッセージを受け付けた第２スレーブプロジェクタ１０Ｓ−２の受信部３は、ＥＤＩＤメモリ２から個別解像度を取り出す。また受信部３は、解像度問合せメッセージを受け付けたことを制御部９に通知する。この通知を受け付けた第２スレーブプロジェクタ１０Ｓ−２の制御部９は、第２スレーブプロジェクタ１０Ｓ−２の出力端子８と接続された接続機器の有無を、出力端子８のホットプラグ機能を使用して確認する（ステップＳ２２０）。
【００７４】
そして第２スレーブプロジェクタ１０Ｓ−２の制御部９は、自装置よりも下位に接続された表示装置の数である下位表示装置数Ｎを検出し、この下位表示装置数Ｎを示す情報を第２スレーブプロジェクタ１０Ｓ−２の個別解像度と共に、入力端子１を介して上位装置である第１スレーブプロジェクタ１０Ｓ−１に出力する（ステップＳ２２５）。本実施形態では、第２スレーブプロジェクタ１０Ｓ−２の出力端子８と接続された接続機器はないため、第２スレーブプロジェクタ１０Ｓ−２の制御部９は、第２スレーブプロジェクタ１０Ｓ−２の出力端子８に接続された接続機器の数が０であることを示す情報を出力する。なお、下位表示装置数Ｎの値は、下位表示装置数Ｎに自装置を含むか否かの定義によって異なる。本実施形態では、下位表示装置数Ｎは、下位表示装置数Ｎを生成する装置から見て下位に相当する表示装置の数とする。これにより、下位に接続された機器がない末端の表示装置は、値が０である下位表示装置数Ｎを生成して出力する。
【００７５】
第２スレーブプロジェクタ１０Ｓ−２から下位表示装置数Ｎ＝０および個別解像度を受け付けた第１スレーブプロジェクタ１０Ｓ−１の制御部９は、受信した下位表示装置数Ｎの値が０であることから、第１スレーブプロジェクタ１０Ｓ−１の下位表示装置が１台であることを検出する。そして第１スレーブプロジェクタ１０Ｓ−１の制御部９は、第２スレーブプロジェクタ１０Ｓ−２から通知された個別解像度と、第１スレーブプロジェクタ１０Ｓ−１の個別解像度とが同一であるか否かを判断する（ステップＳ２３０）。
【００７６】
第１スレーブプロジェクタ１０Ｓ−１の個別解像度と、第２スレーブプロジェクタ１０Ｓ−２の個別解像度が同一ではない場合、第１スレーブプロジェクタ１０Ｓ−１の制御部９は、下位表示装置数Ｎ＝０とする（ステップＳ２３５）。
【００７７】
一方、第１スレーブプロジェクタ１０Ｓ−１の個別解像度、および第２スレーブプロジェクタ１０Ｓ−２の個別解像度が同一である場合、第１スレーブプロジェクタ１０Ｓ−１の制御部９は、受信した下位表示装置数Ｎに１を加えてＮ＝１とする（ステップＳ２４０）。そして第１スレーブプロジェクタ１０Ｓ−１の制御部９は、この下位表示装置数Ｎと、第１スレーブプロジェクタ１０Ｓ−１の個別解像度とを上位装置であるマスタプロジェクタ１０Ｍに通知する（ステップＳ２４５）。
【００７８】
そして、マスタプロジェクタ１０Ｍの制御部９は、マスタプロジェクタ１０Ｍの個別解像度と、第１スレーブプロジェクタ１０Ｓ−１の個別解像度とが同一であるか否かを判断する（ステップＳ２５０）。マスタプロジェクタ１０Ｍの個別解像度と、第１スレーブプロジェクタ１０Ｓ−１の個別解像度とが同一ではない場合、マスタプロジェクタ１０Ｍの制御部９は、マルチ表示システムの動作を終了する。
【００７９】
一方、マスタプロジェクタ１０Ｍの個別解像度と、第１スレーブプロジェクタ１０Ｓ−１の個別解像度とが同一である場合、マスタプロジェクタ１０Ｍの制御部９は、マスタプロジェクタ１０Ｍ、第１スレーブプロジェクタ１０Ｓ−１、および第２スレーブプロジェクタ１０Ｓ−２の表示部５がそれぞれ表示する画像をつなぎ合わせた合成画像の解像度であるシステム解像度を算出する。
【００８０】
具体的には、制御部９は、第１スレーブプロジェクタ１０Ｓ−１から通知された下位表示装置の数に基づいて、マスタプロジェクタ１０Ｍの出力端子８を介して接続されたスレーブプロジェクタ１０Ｓの数を検出し、検出したスレーブプロジェクタ１０Ｓの数、マスタプロジェクタ１０Ｍの個別解像度、第１スレーブプロジェクタ１０Ｓ−１の個別解像度、および第２スレーブプロジェクタ１０Ｓ−２の個別解像度に基づいて、マスタプロジェクタ１０Ｍ、第１スレーブプロジェクタ１０Ｓ−１、および第２スレーブプロジェクタ１０Ｓ−２の表示部５がそれぞれ表示する画像をつなぎ合わせた合成画像の解像度であるシステム解像度を算出する。
【００８１】
本実施形態では、複数のプロジェクタ１０は水平方向に縦続接続されることを前提とし、スレーブプロジェクタ１０Ｓの数は２であるため、制御部９は、水平解像度がマスタプロジェクタ１０Ｍの水平解像度の３倍であって、垂直解像度がマスタプロジェクタ１０Ｍの垂直解像度と同一であるシステム解像度を算出する（ステップＳ２５５）。
【００８２】
なお、システム解像度は、検出されたスレーブプロジェクタ１０Ｓの数の全てに対応する解像度に限らず、検出されたスレーブプロジェクタ１０Ｓの数以下で算出される解像度を含む。本実施形態では、水平解像度がマスタプロジェクタ１０Ｍの水平解像度の２倍であるシステム解像度と、３倍であるシステム解像度とを算出してもよい。
【００８３】
そしてマスタプロジェクタ１０Ｍの表示部５は、システム解像度を選択することが可能な旨を表示する。具体的には、表示部５は、例えばマスタプロジェクタ１０Ｍの個別解像度および算出されたシステム解像度を含む解像度の選択肢を表示する。このときマスタプロジェクタ１０Ｍは、ＯＳＤなどを使用して、解像度の選択肢を表示することができる（ステップＳ２６０）。
【００８４】
ここでユーザが、表示された解像度の選択肢の中からシステム解像度を選択解像度としてマスタプロジェクタ１０Ｍに対して入力すると（ステップＳ２６５）、マスタプロジェクタ１０Ｍの制御部９は、ＥＤＩＤメモリ２に記憶されたＥＤＩＤの解像度をシステム解像度に書き換える（ステップＳ２７０）。
【００８５】
また、マスタプロジェクタ１０Ｍの制御部９は、選択解像度としてシステム解像度が選択されると、第１スレーブプロジェクタ１０Ｓ−１にマルチ表示が選択された旨を示す情報を通知する。このマルチ表示が選択された旨を示す情報は、少なくとも選択されたシステム解像度に対応するスレーブプロジェクタ１０Ｓまで通知される。なお、マルチ表示が選択された旨を示す情報は、ＤＥ信号の加工を指示する情報を含む（ステップＳ２７５）。
【００８６】
そしてユーザがＰＣ２０とマスタプロジェクタ１０ＭとをＨＤＭＩケーブルで接続すると、ＰＣ２０は、マスタプロジェクタ１０ＭのＥＤＩＤを取得する（ステップＳ２８０）。ＰＣ２０は、取得したＥＤＩＤに記述されたシステム解像度に応じた映像信号および制御信号をマスタプロジェクタ１０Ｍに出力する（ステップＳ２８５）。
【００８７】
続いて図８Ｂを参照する。マスタプロジェクタ１０Ｍは、映像信号および制御信号を受け付けると、制御信号に含まれるＤＥ信号を加工する。このときマスタプロジェクタ１０Ｍの映像信号処理部４は、映像信号のうち、マスタプロジェクタ１０Ｍに表示させる領域が有効期間となるように、ＤＥ信号を加工する。一方、ＤＥ加工部１２は、映像信号のうち、マスタプロジェクタ１０Ｍに表示させる領域が非有効期間となるように、ＤＥ信号を加工する（ステップＳ２９０）。なお、マスタプロジェクタ１０Ｍに表示させる領域は、水平方向において、マスタプロジェクタ１０Ｍに入力されたＤＥ信号の有効期間の先頭から表示部の解像度の幅に対応する領域である。
【００８８】
図９は、水平ＤＥ信号の加工について説明するための図である。本実施形態においては、解像度が３０７２×７６８の映像信号が入力され、マスタプロジェクタ１０ＭのＤＥ加工部１２に入力された水平ＤＥ信号である入力水平ＤＥ信号は、水平方向の映像信号３０７２ドットの全期間が有効期間であることを示す。マスタプロジェクタ１０ＭのＤＥ加工部１２は、映像信号の先頭の１０２４ドットの期間が非有効期間を示すようにこの入力水平ＤＥ信号を加工する。
【００８９】
図８Ｂの説明に戻る。マスタプロジェクタ１０Ｍの表示部５は、映像信号処理部４が加工したＤＥ信号に従い、映像信号に応じた画像（１ドットから１０２４ドットの部分、左側の１０２４ドット分）を表示する（ステップＳ２９５）。マスタプロジェクタ１０Ｍは、映像信号とＤＥ加工部１２が加工したＤＥ信号を含む制御信号とを第１スレーブプロジェクタ１０Ｓ−１に出力する（ステップＳ３００）。
【００９０】
第１スレーブプロジェクタ１０Ｓ−１は、映像信号および制御信号を受け付けると、制御信号に含まれるＤＥ信号を加工する。第１スレーブプロジェクタ１０Ｓ−１の映像信号処理部４は、映像信号のうち、第１スレーブプロジェクタ１０Ｓ−１に表示させる領域が有効期間となるように、ＤＥ信号を加工する。一方、第１スレーブプロジェクタ１０Ｓ−１のＤＥ加工部１２は、映像信号のうち、第１スレーブプロジェクタ１０Ｓ−１に表示させる領域が非有効期間となるように、ＤＥ信号を加工する。なお、第１スレーブプロジェクタ１０Ｓ−１に表示させる領域は、水平方向において、第１スレーブプロジェクタ１０Ｓ−１に入力されたＤＥ信号の有効期間の先頭から表示部５の解像度の幅に対応する領域である。
【００９１】
再び図９を参照する。第１スレーブプロジェクタ１０Ｓ−１のＤＥ加工部１２は、この映像信号の中央の１０２４ドットの期間が非有効期間となるように、マスタプロジェクタ１０Ｍから出力されたＤＥ信号を加工する（ステップＳ３０５）。
【００９２】
再び図８Ｂの説明に戻る。第１スレーブプロジェクタ１０Ｓ−１の表示部５は、映像信号処理部４が加工したＤＥ信号に従い、映像信号に応じた画像を表示する。これにより、第１スレーブプロジェクタ１０Ｓ−１の表示部５は、ＤＥ信号の示す有効期間の開始点から表示部５の水平解像度分の映像信号に応じた画像（１０２５ドットから２０４８ドットの部分、中央の１０２４ドット部分）を表示する（ステップＳ３１０）。
【００９３】
第１スレーブプロジェクタ１０Ｓ−１は、映像信号と第１スレーブプロジェクタ１０Ｓ−１のＤＥ加工部１２が加工したＤＥ信号を含む制御信号とを第２スレーブプロジェクタ１０Ｓ−２に出力する（ステップＳ３１５）。
【００９４】
第２スレーブプロジェクタ１０Ｓ−２は、映像信号および制御信号を受け付けると、末端の装置なので、制御信号に含まれるＤＥ信号を加工する必要はない。なお、第２スレーブプロジェクタ１０Ｓ−２に表示させる領域は、水平方向において、第２スレーブプロジェクタ１０Ｓ−２に入力されたＤＥ信号の有効期間の先頭から表示部の解像度の幅に対応する領域である。
【００９５】
第２スレーブプロジェクタ１０Ｓ−２の表示部５は、受け付けた制御信号に含まれるＤＥ信号に従い、映像信号に応じた画像を表示する。これにより、第２スレーブプロジェクタ１０Ｓ−２の表示部５は、ＤＥ信号の示す有効期間の開始点から表示部５の水平解像度分の映像信号に応じた画像（２０４９ドットから３０７２ドットの部分、右側の１０２４ドット部分）を表示する（ステップＳ３２０）。
【００９６】
なお、マルチ表示システム２００において、マスタプロジェクタ１０Ｍにとっては、ＰＣ２０が上位装置、第１スレーブプロジェクタ１０Ｓ−１および第２スレーブプロジェクタ１０Ｓ−２が下位表示装置、マスタプロジェクタ１０Ｍの個別解像度が第１解像度、スレーブプロジェクタ１０Ｓの個別解像度が第２解像度、システム解像度が第３解像度に相当する。
【００９７】
また第１スレーブプロジェクタ１０Ｓ−１にとって、マスタプロジェクタ１０Ｍが上位装置、第２スレーブプロジェクタ１０Ｓ−２が下位表示装置、第１スレーブプロジェクタ１０Ｓ−１の個別解像度が第１解像度、第２スレーブプロジェクタ１０Ｓ−２の個別解像度が第２解像度、第１スレーブプロジェクタ１０Ｓ−１および第２スレーブプロジェクタ１０Ｓ−２の個別解像度が第３解像度に相当する。
【００９８】
なおここでは、第１スレーブプロジェクタ１０Ｓ−１は、第１スレーブプロジェクタ１０Ｓ−１および第２スレーブプロジェクタ１０Ｓ−２の個別解像度が同一であるか否かを確認し、同一である場合マスタプロジェクタ１０Ｍに下位表示装置の数と第１スレーブプロジェクタ１０Ｓ−１の個別解像度を通知することとしたが、第１スレーブプロジェクタ１０Ｓ−１は、第１スレーブプロジェクタ１０Ｓ−１および第２スレーブプロジェクタ１０Ｓ−２の個別解像度を共にマスタプロジェクタ１０Ｍに通知してもよい。この場合、マスタプロジェクタ１０Ｍが、マスタプロジェクタ１０Ｍ、第１スレーブプロジェクタ１０Ｓ−１、および第２スレーブプロジェクタ１０Ｓ−２の個別解像度が同一であるか否かを確認して動作することができる。
【００９９】
以上説明したように、本実施形態によれば、表示装置は、表示部５の解像度である第１解像度、および下位表示装置から通知された解像度である第２の解像度に応じた第３の解像度を上位装置に通知する。これにより、上位装置は、上位装置に接続された複数の下位表示装置の解像度を把握することが可能になるため、上位装置である信号源は、通知された第３の解像度に応じた解像度の映像信号を出力することが可能になる。したがって、ＰＣのような汎用の信号源を用いた場合であっても、信号源がシステム構成に応じたマルチ表示用の解像度の映像信号を出力することが可能になり、表示装置がシステム構成に応じた解像度の画像を表示することが可能になる。
【０１００】
また、本実施形態においても、第１解像度および第２解像度が同一である場合に第３解像度が上位装置に通知される。矩形の画像の一部を複数の表示装置で表示し、表示した各画像をつなぎ合わせて１つの大きな画像を形成するとき、垂直解像度の異なる複数の表示装置を水平方向につなぎ合わせる場合や、水平解像度の異なる複数の表示装置を垂直方向につなぎ合わせる場合、各表示装置が表示した画像をつなぎ合わせても矩形とならず、１つの画像を形成しない。このように各表示装置が表示した画像をつなぎ合わせた場合は表示装置が正常に動作しているとは言えない。したがって、通知する解像度の変更を第１解像度と第２解像度とが同一である場合に制限することで、表示部５の正常な動作を確保することが可能になる。
【０１０１】
また、本実施形態においても、表示装置は、ＥＤＩＤメモリ２に記憶された第１解像度を第３解像度に書き換えることで、第３解像度を上位装置に通知する。これにより、上位装置側の解像度を読み込む動作に変更を加えることなく、上位装置が第３解像度に応じた映像信号を出力することが可能になる。
【０１０２】
また、本実施形態においても、表示装置は、第２の解像度である下位表示装置の解像度を、下位表示装置のＥＤＩＤから取得する。また、表示装置は、映像信号のうち表示する領域を示すＤＥ信号を、下位表示装置が表示する領域に対応する情報に加工する。
【０１０３】
また、本実施形態によれば、上位装置であるＰＣ２０、および下位表示装置であるスレーブプロジェクタ１０Ｓと接続されたマスタプロジェクタ１０Ｍにおいては、第１解像度および第２解像度に基づいて、表示部５およびスレーブプロジェクタ１０Ｓのそれぞれが表示する画像をつなぎ合わせた合成画像の解像度が算出され、算出した解像度が第３解像度として上位装置であるＰＣ２０に通知される。これにより、マスタプロジェクタ１０Ｍは、信号源であるＰＣ２０に合成画像の解像度を通知することができる。
【０１０４】
以上説明したように、第２の実施形態では、下位表示装置であるスレーブプロジェクタ１０Ｓは、個別解像度を上位装置に通知することとしたが、本発明はかかる例に限定されない。例えば、スレーブプロジェクタ１０Ｓは、自装置より下位のスレーブプロジェクタ１０Ｓが表示する画像をつなぎ合わせた画像の解像度を上位装置に通知してもよい。また、このときスレーブプロジェクタ１０Ｓは、ＥＤＩＤに記述された解像度を通知する解像度に書き換えてもよい。
【０１０５】
また上記実施形態では、下位表示装置であるスレーブプロジェクタ１０Ｓは、下位装置の数を上位装置に送信したが、本発明はかかる例に限定されない。例えば、ＥＤＩＤに下位装置の数を記述することにより上位装置に通知しても良い。例えば、ＥＤＩＤの装置名（Ｍｏｎｉｔｏｒ  Ｎａｍｅ）を示す領域に、装置名と共に、装置名と区別できるようにして下位装置の数を書き換えて記述しても良いし、その他の、ＥＤＩＤを用いた動作に影響を与えない領域に記述しても良い。
【０１０６】
以上、実施形態を参照して本願発明を説明したが、本願発明は上記実施形態に限定されるものではない。本願発明の構成や詳細には、本願発明のスコープ内で当業者が理解し得る様々な変更をすることができる。
【０１０７】
例えば、上記実施形態では、表示装置の一例としてプロジェクタ１０を挙げたが、本発明はかかる例に限定されない。表示装置は、液晶ディスプレイ装置、有機ＥＬ（Ｅｌｅｃｔｒｏ  Ｌｕｍｉｎｅｓｃｅｎｃｅ）ディスプレイ装置など表示パネルを含むディスプレイ装置であってもよい。また表示装置は、プロジェクタや表示パネルを含む情報処理装置であってもよい。
【０１０８】
また上記実施形態では、プロジェクタ１０に映像信号を供給する信号源の一例としてＰＣ２０を挙げたが、本発明はかかる例に限定されない。信号源は、ＰＣ２０以外の情報処理装置であってもよい。また表示装置と信号源とが一体の装置であってもよい。
【０１０９】
また上記実施形態では、プロジェクタ１０間およびＰＣ２０とマスタプロジェクタ１０Ｍは、それぞれＨＤＭＩに対応した端子およびケーブルで接続されることとしたが、本発明はかかる例に限定されない。各装置間を接続する手段は有線無線を問わず、いかなる規格に対応した端子、ケーブル、および無線接続部などが用いられてもよい。
【０１１０】
また上記実施形態では、簡単のためプロジェクタ１０が２台の場合と３台の場合とについて説明したが、本発明はかかる例に限定されない。４台以上のプロジェクタを用いてマルチ表示システムを構成することも可能である。
【０１１１】
また上記実施形態では、水平方向にプロジェクタが表示する画像がつなぎ合わされるマルチ表示システムについて説明したが、本発明はかかる例に限定されない。例えば垂直方向にプロジェクタが表示する画像がつなぎ合わされてもよい。この場合、水平ＤＥ信号を加工する代わりに、垂直ＤＥ信号の加工が行われる。
【０１１２】
また上記実施形態では、映像信号に応じた画像を、重なり合わさない複数の領域に分割し、各領域を表示装置のそれぞれが表示することとしたが、本発明はかかる例に限定されない。表示装置がプロジェクタである場合には、各プロジェクタが投写する投写画像の一部を重ねて複数の投写画像が滑らかにつながるように表示する場合がある。この場合、各プロジェクタは、重なり部分を考慮してシステム解像度を算出し、ＤＥ信号を加工すればよい。
【０１１３】
また上記実施形態では、個別解像度が同一である場合に、マルチ表示システムを設定する処理を行ったが、画像を水平方向に配置する場合は垂直解像度が同一である場合に、また、垂直方向に配置する場合は、水平解像度が同一である場合にマルチ表示システムを設定してもよい。この場合、下位表示装置が上位装置に通知する第２解像度は、通知する装置の下位に接続された表示装置の表示する画像をつなぎ合わせた画像の解像度となる。この場合、各表示装置が表示した画像をつなぎ合わせた合成画像は矩形となり、合成画像は正常に表示される。
【０１１４】
また上記実施形態では、制御部９は、ホットプラグ機能を使用して、プロジェクタ１０がマルチ表示システム２００の最上位の表示装置（マスタプロジェクタ１０Ｍ）であることを認識したが、制御部９は、ユーザが行う所定の操作を示す信号、例えばプロジェクタ１０をマスタプロジェクタ１０Ｍに設定する操作に基づき、プロジェクタ１０がマルチ表示システム２００の最上位の表示装置（マスタプロジェクタ１０Ｍ）として設定しても良い。また、この場合、マスタプロジェクタ１０Ｍがマルチ表示システム２００の最上位の表示装置として設定されると、マスタプロジェクタ１０Ｍの制御部９は、出力端子８と接続された接続機器の有無を確認し、出力端子８と接続されたスレーブプロジェクタ１０Ｓを検出すると、解像度問合せメッセージを出力して所定の処理を行うようにしても良い。また、マスタプロジェクタ１０Ｍの制御部９は、ユーザが行う所定の操作を示す信号、例えば、システム解像度を設定する操作を示す信号に基づき、出力端子８と接続された接続機器の有無を確認し、出力端子８と接続されたスレーブプロジェクタ１０Ｓを検出すると、解像度問合せメッセージを出力して所定の処理を行うようにしても良い。
【０１１５】
また、上記の各実施形態における各構成や処理内容は、組み合わせて用いることができることは言うまでもない。
【０１１６】
例えば第１の実施形態ではプロジェクタ１０が２台の場合について説明し、第２の実施形態ではプロジェクタ１０が３台の場合について説明したが、本発明はかかる例に限定されない。第２の実施形態の処理を２台のプロジェクタを用いたマルチ表示システムに適用することも可能である。
【０１１７】
また、第１の実施形態では、映像信号処理部４はＤＥ信号を加工せずに、表示部５はＤＥ信号の先頭から表示部５の解像度に応じて画像を表示した。また、第２の実施形態では、映像信号処理部４はＤＥ信号を表示部５の解像度に応じて加工し、表示部５は加工されたＤＥ信号に応じて画像を表示した。第１の実施形態に第２の実施形態の上記処理を適用しても良いし、第２の実施形態に第１の実施形態の上記処理を適用しても良い。
【０１１８】
また、第１の実施形態では、上位装置が直接ＥＤＩＤを取得し、第２の実施形態では、下位表示装置の受信部３を介してＥＤＩＤを取得した。上位装置が直接ＥＤＩＤを取得する処理を第２の実施形態の構成で行ってもよいし、下位表示装置の受信部３を介してＥＤＩＤを取得する処理を第１の実施形態の構成で行ってもよい。
【０１１９】
また、第１の実施形態では、上位表示装置は下位表示装置のＥＤＩＤそのものを取得することとし、第２の実施形態では、上位表示装置は下位表示装置のＥＤＩＤに記載された個別解像度を取得した。ＥＤＩＤそのものを取得する処理を第２の実施形態の構成で行ってもよいし、個別解像度を取得する処理を第１の実施形態の構成で行うこともできる。
【０１２０】
また上記実施形態では、ＥＤＩＤに含まれる解像度を取得して用いたが、本発明はかかる例に限定されない。記憶部に記憶される、ＥＤＩＤ以外の、表示部５の性能および機能などを示す情報に含まれる解像度を取得して用いてもよい。
【０１２１】
また、第１の実施形態では、マルチ表示システム１００に含まれるプロジェクタ１０の台数が２台であることを前提とした動作を示し、第２の実施形態では、マルチ表示システム１００が現在のシステム構成を検出する動作を示した。第１の実施形態の構成においても、現在のシステム構成を検出する動作を実行させてもよいし、第２の実施形態の構成において、予め決められたシステム構成を前提としてもよい。なお、予め決められたシステム構成を前提とする場合は、プロジェクタ１０の仕様として予め決められたシステム構成を前提とする場合や、システム構成時にユーザが接続するプロジェクタ１０の台数を入力する場合などが考えられる。
【符号の説明】
【０１２２】
１００，２００    マルチ表示システム
１０              プロジェクタ
１０Ｍ            マスタプロジェクタ
１０Ｓ            スレーブプロジェクタ
１                入力端子
２                ＥＤＩＤメモリ（記憶部）
３                受信部
４                映像信号処理部
５                表示部
６                駆動部
７                出力部
８                出力端子
９                制御部
１１              フォーマット変換部
１２              ＤＥ加工部（加工部）
１３              送信部
【図１】
2014112120.tif 000003
【図２】
2014112120.tif 000004
【図３】
2014112120.tif 000005
【図４】
2014112120.tif 000006
【図５】
2014112120.tif 000007
【図６】
2014112120.tif 000008
【図７】
2014112120.tif 000009
【図８Ａ】
2014112120.tif 000010
【図８Ｂ】
2014112120.tif 000011
【図９】
2014112120.tif 000012
【手続補正書】
【提出日】平成28年7月15日(2016.7.15)
【手続補正１】
【補正対象書類名】特許請求の範囲
【補正対象項目名】全文
【補正方法】変更
【補正の内容】
【特許請求の範囲】
【請求項１】
信号源が出力する映像信号に応じた画像の一部をそれぞれ表示する複数の表示装置が縦続接続されたマルチ表示システムに用いられる表示装置であって、
上位装置が出力した映像信号を受信する受信部と、
前記映像信号に応じた画像の少なくとも一部を表示する表示部と、
前記表示部に表示される画像の解像度を前記上位装置による読み込みが可能なＥＤＩＤ（Ｅｘｔｅｎｄｅｄ  Ｄｉｓｐｌａｙ  Ｉｄｅｎｔｉｆｉｃａｔｉｏｎ  Ｄａｔａ）に含めて記憶する記憶部と、
下位表示装置と接続可能な接続部と、
前記接続部に下位表示装置が接続された場合、前記下位表示装置から通知された解像度である第２解像度を受信し、かつ、前記下位表示装置に前記映像信号を出力する通信部と、
前記記憶部に予め記憶された前記表示部に表示される画像の解像度であり、かつ、前記表示部の解像度である第１解像度および前記第２解像度に応じた第３解像度を前記上位装置に通知する制御部と、を備え、
前記制御部は、前記記憶部に記憶された第１解像度を前記第３解像度に書き換えることで、前記第３解像度を前記上位装置に通知する、表示装置。
【請求項２】
前記接続部に下位表示装置が接続された場合において、
前記上位装置は、他の表示装置であり、
前記制御部は、前記第１解像度および前記第２解像度が同一である場合、前記下位表示装置から受信した下位表示装置の数に１を加え、前記第１解像度を前記第３解像度とし、当該第３解像度および前記１を加えた下位表示装置の数を前記上位装置に通知する、請求項１に記載の表示装置。
【請求項３】
前記通信部は、前記下位表示装置から当該下位表示装置の解像度を前記第２の解像度として受信する、請求項２に記載の表示装置。
【請求項４】
前記接続部に下位表示装置が接続された場合において、
前記上位装置は、前記映像信号を出力する信号源であり、
前記制御部は、前記第１解像度および前記第２解像度に基づいて、前記表示部および前記下位表示装置のそれぞれが表示する画像をつなぎ合わせた合成画像の解像度を算出し、算出した解像度を前記第３解像度として前記上位装置に通知する、請求項１に記載の表示装置。
【請求項５】
前記受信部は、前記映像信号に応じた画像のうちの表示する領域を示す表示領域情報を前記上位装置から受信し、
前記表示部は、前記受信部が受信した表示領域情報に従って前記映像信号に応じた画像を表示し、
前記通信部は、前記表示領域情報を、前記下位表示装置が表示する領域に対応する情報に加工して前記下位表示装置に出力する、請求項１ないし４のいずれか１項に記載の表示装置。
【請求項６】
前記受信部は、前記上位装置が出力した、映像信号のうち表示する期間である有効期間と表示しない期間である非有効期間とを示す表示領域情報を受信し、
記通信部は、前記表示領域情報を、前記下位表示装置が表示する期間に対応する情報に加工し、または、前記表示領域情報を、映像信号のうち前記表示部に表示させる領域が非有効期間となるように加工し、前記加工した表示領域情報を前記下位表示装置に出力する、請求項１ないし４のいずれか１項に記載の表示装置。
【請求項７】
映像信号を出力する信号源と、
前記信号源が出力した映像信号に応じた画像の一部をそれぞれ表示する複数の表示装置と、
を備え、
前記複数の表示装置は縦続接続され、
各表示装置は、
上位装置が出力した映像信号を受信する受信部と、
前記映像信号に応じた画像の少なくとも一部を表示する表示部と、
前記表示部に表示される画像の解像度を前記上位装置による読み込みが可能なＥＤＩＤ（Ｅｘｔｅｎｄｅｄ  Ｄｉｓｐｌａｙ  Ｉｄｅｎｔｉｆｉｃａｔｉｏｎ  Ｄａｔａ）に含めて記憶する記憶部と、
下位表示装置と接続可能な接続部と、
前記接続部に下位表示装置が接続された場合、前記下位表示装置から通知された解像度である第２解像度を受信し、かつ、前記下位表示装置に前記映像信号を出力する通信部と、
前記記憶部に予め記憶された前記表示部に表示される画像の解像度であり、かつ、前記表示部の解像度である第１解像度および前記第２解像度に応じた第３解像度を前記上位装置に通知する制御部と、を有し、
前記制御部は、前記記憶部に記憶された第１解像度を前記第３解像度に書き換えることで、前記第３解像度を前記上位装置に通知する、マルチ表示システム。
【請求項８】
映像信号を出力する信号源と、前記信号源が出力した映像信号に応じた画像の一部をそれぞれ表示する複数の表示装置と、を備え、前記複数の表示装置は縦続接続されたマルチ表示システムの各表示装置が、
表示部に表示される画像の解像度を上位装置による読み込みが可能なＥＤＩＤ（Ｅｘｔｅｎｄｅｄ  Ｄｉｓｐｌａｙ  Ｉｄｅｎｔｉｆｉｃａｔｉｏｎ  Ｄａｔａ）に含めて記憶部に記憶する手順と、
下位表示装置と接続されたことを検出する手順と、
前記記憶部に予め記憶された前記表示部に表示される画像の解像度であり、かつ、前記表示部の解像度である第１解像度を前記記憶部から取得する手順と、
前記下位表示装置から通知された解像度である第２解像度を受信する手順と、
前記第１解像度および前記第２解像度に応じた第３解像度を前記上位装置に通知する手順と、
前記第３解像度に応じた映像信号を前記上位装置から受信する手順と、
受信した映像信号の一部を表示する手順と、
前記下位表示装置に前記映像信号を出力する手順と、を実行するマルチ表示方法であって、
前記記憶部に記憶された第１解像度を前記第３解像度に書き換えることで、前記第３解像度を前記上位装置に通知する、マルチ表示方法。
【国際調査報告】
2014112120.tif 000013
2014112120.tif 000014
2014112120.tif 000015
2014112120.tif 000016
2014112120.tif 000017
2014112120.tif 000018
2014112120.tif 000019
2014112120.tif 000020